(57)【要約】【課題】本発明は、ユーザに煩雑な操作をさせることなく停止時点から直ちにコンテンツの再生処理を再開できるようにする。【解決手段】本発明は、コンテンツの再生処理を中断したときの停止時点を示すコンテンツ再生中途情報を生成し、当該コンテンツ再生中途情報をユーザ所有の携帯電話機３へ無線送信し、携帯電話機３からコンテンツ再生中途情報を受信したとき、当該コンテンツ再生中途情報に従って停止時点からコンテンツの再生処理を再開することにより、ユーザに対して停止時点の内容を記憶させたり、当該停止時点まで早送りさせる等の煩雑な操作をさせることなく、携帯電話機３を介して直ちに停止時点からコンテンツの再生処理を再開することができる。【選択図】        図１
2005026923.tif 000002
【特許請求の範囲】
【請求項１】
コンテンツを再生する再生手段と、
上記コンテンツの再生処理を中断したときの停止時点を示すコンテンツ再生中途情報を生成する中途情報生成手段と、
上記コンテンツ再生中途情報をユーザ所有の携帯型情報端末へ無線送信する通信手段と、
上記携帯型情報端末から上記コンテンツ再生中途情報を受信したとき、当該コンテンツ再生中途情報に従って上記停止時点から上記コンテンツの上記再生処理を再開する制御手段と
を具えることを特徴とするコンテンツ再生装置。
【請求項２】
上記中途情報生成手段は、上記通信手段と上記携帯型情報端末との間で構築される無線ＬＡＮ（Ｌｏｃａｌ  Ａｒｅａ  Ｎｅｔｗｏｒｋ）の無線通信可能範囲内に上記携帯型情報端末が存在している場合であって、電波の電界受信強度が所定レベル以下に下がった段階で上記コンテンツ再生中途情報を生成する
ことを特徴とする請求項１に記載のコンテンツ再生装置。
【請求項３】
上記制御手段は、上記携帯型情報端末を認証することにより当該携帯型情報端末を所有するユーザを個別に判断し、当該ユーザに対応した上記停止時点から上記コンテンツの再生処理を再開する
ことを特徴とする請求項１に記載のコンテンツ再生装置。
【請求項４】
再生手段によるコンテンツの再生処理を中断したときの停止時点を示すコンテンツ再生中途情報を生成する中途情報生成ステップと、
上記コンテンツ再生中途情報をユーザ所有の携帯型情報端末へ無線送信する通信ステップと、
上記携帯型情報端末から上記コンテンツ再生中途情報を受信したとき、当該コンテンツ再生中途情報に従って上記停止時点から上記コンテンツの再生処理を再開する制御ステップと
を具えることを特徴とするコンテンツ再生方法。
【請求項５】
再生装置に対して、
再生手段によるコンテンツの再生処理を中断したときの停止時点を示すコンテンツ再生中途情報を生成する中途情報生成ステップと、
上記コンテンツ再生中途情報をユーザ所有の携帯型情報端末へ無線送信する通信ステップと、
上記携帯型情報端末から上記コンテンツ再生中途情報を受信したとき、当該コンテンツ再生中途情報に従って上記停止時点から上記コンテンツの再生処理を再開する制御ステップと
を実行させることを特徴とするコンテンツ再生制御プログラム。
【請求項６】
コンテンツを再生する再生装置と、当該再生装置と無線通信を行う携帯型情報端末とを有するコンテンツ再生制御システムにおいて、
上記再生装置は、
上記コンテンツを再生する再生手段と、
上記コンテンツの再生処理を中断したときの停止時点を示すコンテンツ再生中途情報を生成する中途情報生成手段と、
上記コンテンツ再生中途情報をユーザ所有の上記携帯型情報端末へ無線送信する通信手段と、
上記携帯型情報端末から上記コンテンツ再生中途情報を受信したとき、当該コンテンツ再生中途情報に従って上記停止時点から上記コンテンツの上記再生処理を再開する制御手段と
を具えることを特徴とするコンテンツ再生制御システム。
【発明の詳細な説明】
【０００１】
【発明の属する技術分野】
本発明はコンテンツ再生装置に関し、例えば固定設置式である車載用のハードディスクプレーヤ又は家庭用のハードディスクプレーヤに適用して好適なものである。
【０００２】
【従来の技術】
従来、コンテンツを再生する電子機器においては、コンテンツの再生処理を中断した時点の停止情報を利用して当該停止時点から再生処理を再開するようになされたものがある（例えば、特許文献１及び特許文献２参照）。
【０００３】
このような電子機器においては、割込みによって視聴を中断し、再生処理を再開するときには中断した時点から再生することができたり、リアルタイム配信中に通信が中断した場合であっても、その中断した時点のタイムスタンプに基づいて再配信することができる。
【０００４】
【特許文献１】
特開２００２−７７４５８公報
特開２００２−１２３４４９公報
【０００５】
【発明が解決しようとする課題】
ところでかかる構成の従来の電子機器として例えば車載用ハードディスクプレーヤでコンテンツ再生中に停止したときに、当該コンテンツを家庭用ハードディスクプレーヤで再度再生する際には停止した時点をユーザに覚えさせると共に当該停止した時点まで早送りさせる等の操作を行わせる必要があって非常に使い勝手が悪いという問題があった。
【０００６】
本発明は以上の点を考慮してなされたもので、ユーザに煩雑な操作をさせることなく停止時点から直ちにコンテンツの再生処理を再開し得るコンテンツ再生装置を提案しようとするものである。
【０００７】
【課題を解決するための手段】
かかる課題を解決するため本発明においては、再生手段によるコンテンツの再生処理を中断したときの停止時点を示すコンテンツ再生中途情報を生成し、当該コンテンツ再生中途情報をユーザ所有の携帯型情報端末へ無線送信し、携帯型情報端末からコンテンツ再生中途情報を受信したとき、当該コンテンツ再生中途情報に従って停止時点からコンテンツの再生処理を再開することにより、ユーザに対して停止時点の内容を記憶させたり、当該停止時点まで早送りさせる等の煩雑な操作をさせることなく、携帯型情報端末を介して直ちに停止時点からコンテンツの再生処理を再開することができる。
【０００８】
また本発明においては、通信手段と携帯型情報端末との間で構築される無線ＬＡＮの無線通信可能範囲内に携帯型情報端末が存在している場合であって、電波の電界受信強度が所定レベル以下に下がった段階でコンテンツ再生中途情報を生成するようにしたことにより、ユーザが携帯型情報端末を保持した状態でコンテンツ再生装置から離れるときに、コンテンツ再生中途情報を生成して当該携帯型情報端末へ自動的に送信することができるので、ユーザに対して何ら煩雑な操作をさせることなくコンテンツ再生中途情報を携帯型情報端末に記憶させることができる。
【０００９】
【発明の実施の形態】
以下、図面について、本発明の一実施の形態を詳述する。
【００１０】
（１）コンテンツ再生制御システムの全体構成
図１に示すようにコンテンツ再生制御システム１は、例えば家庭用ハードディスクプレーヤ２と、当該家庭用ハードディスクプレーヤ２と互いに無線通信を行う携帯電話機３と、当該携帯電話機３と互いに無線通信を行う車載用ハードディスクプレーヤ４とによって構成されている。
【００１１】
このコンテンツ再生制御システム１では、家庭用ハードディスクプレーヤ２のハードディスク及び車載用ハードディスクプレーヤ４のハードディスクに同一内容のコンテンツが記録されており、双方の家庭用ハードディスクプレーヤ２及び車載用ハードディスクプレーヤ４で同一内容のコンテンツを再生し得るようになされている。
【００１２】
（２）家庭用ハードディスクプレーヤ２の回路構成
図２に示すように家庭用ハードディスクプレーヤ２は、ＣＰＵ（Ｃｅｎｔｒａｌ  Ｐｒｏｃｅｓｓｉｎｇ  Ｕｎｉｔ）１０が回路全体を統括制御するようになされており、当該ＣＰＵ１０に対してＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、液晶ディスプレイでなる表示部１３、外部Ｉ／Ｏ（Ｉｎ／Ｏｕｔ）１４、アンテナ１６と接続された例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｇ等の規格に準拠した無線インタフェース１５及びハードディスク１７がバス１８を介して接続された構成を有している。
【００１３】
この家庭用ハードディスクプレーヤ２は、ＲＯＭ１１に格納された基本プログラム及び各種のアプリケーションプログラム等をＲＡＭ１２に起動することにより各種処理を実行するようになされており、当該処理結果を表示部１３に表示するようになされている。
【００１４】
また家庭用ハードディスクプレーヤ２は、ハードディスク１７に格納されたコンテンツを読み出し、その再生結果を表示部１３に表示したり、外部Ｉ／Ｏ１４又は無線Ｉ／Ｆ１５を介してダウンロードしたコンテンツをハードディスク１７に格納し得るようになされている。
【００１５】
さらに家庭用ハードディスクプレーヤ２は、無線Ｉ／Ｆ１５及びアンテナ１６を介して携帯電話機３と無線ＬＡＮ（Ｌｏｃａｌ  Ａｒｅａ  Ｎｅｔｗｏｒｋ）を構築し得るようになされており、当該携帯電話機３が無線通信可能な範囲内（以下、これを無線通信可能範囲内と呼ぶ）に存在する場合には、各種情報を無線で互いにやりとりするようになされている。
【００１６】
なお家庭用ハードディスクプレーヤ２は、ＲＯＭ１１に予め格納されたコンテンツ中途再生制御プログラムに従ってコンテンツ中途再生制御処理手順を実行するようになされており、その点については後述する。
【００１７】
（３）携帯電話機の回路構成
図３に示すように携帯電話機３は、ＣＰＵ２０が全体を統括制御するようになされており、当該ＣＰＵ２０に対してＲＯＭ２１、ＲＡＭ２２、液晶ディスプレイでなる表示部２３、外部Ｉ／Ｏ（Ｉｎ／Ｏｕｔ）２４、アンテナ２６と接続された例えばＩＥＥＥ８０２．１１ｇ等の規格に準拠した無線インタフェース２５、通常の電話として機能するための送受信部２８及びそのアンテナ２８が接続された構成を有している。
【００１８】
携帯電話機３は、ＲＯＭ２１に格納された基本プログラム及び各種のアプリケーションプログラム等をＲＡＭ２２に起動することにより各種処理を実行するようになされており、当該処理結果を表示部２３に表示するようになされている。
【００１９】
また携帯電話機３は、アンテナ２８及び送受信処理部２７を介して通話データや電子メールデータの授受を行うことにより電話及び電子メールとしての機能を実現するようになされている。
【００２０】
さらに携帯電話機３は、無線Ｉ／Ｆ２５及びアンテナ２６を介して家庭用ハードディスクプレーヤ２や車載用ハードディスクプレーヤ４と無線ＬＡＮを構築し得るようになされており、当該携帯電話機３が家庭用ハードディスクプレーヤ２又は車載用ハードディスクプレーヤ４と無線通信可能範囲内に存在する場合には、各種情報を無線で互いにやりとりするようになされている。
【００２１】
なお携帯電話機３についても、家庭用ハードディスクプレーヤ２と同様にＲＯＭ２１に予め格納されたコンテンツ中途再生制御プログラムに従ってコンテンツ中途再生制御処理手順を実行するようになされており、その点については後述する。
【００２２】
（４）車載用ハードディスクプレーヤ４の回路構成
図４に示すように車載用ハードディスクプレーヤ４は、ＣＰＵ３０が回路全体を統括制御するようになされており、当該ＣＰＵ３０に対してＲＯＭ３１、ＲＡＭ３２、液晶ディスプレイでなる表示部３３、外部Ｉ／Ｏ３４、アンテナ３６と接続された例えばＩＥＥＥ８０２．１１ｇ等の規格に準拠した無線インタフェース３５及びハードディスク３７がバス３８を介して接続された構成を有している。
【００２３】
この車載用ハードディスクプレーヤ４は、ＲＯＭ３１に格納された基本プログラム及び各種のアプリケーションプログラム等をＲＡＭ３２に起動することにより各種処理を実行するようになされており、当該処理結果を表示部３３に表示するようになされている。
【００２４】
また車載用ハードディスクプレーヤ４は、ハードディスク３７に格納されたコンテンツを読み出し、その再生結果を表示部３３に表示したり、外部Ｉ／Ｏ３４又は無線Ｉ／Ｆ３５を介してダウンロードしたコンテンツをハードディスク３７に格納し得るようになされている。
【００２５】
さらに車載用ハードディスクプレーヤ４は、無線Ｉ／Ｆ３５及びアンテナ３６を介して携帯電話機３と無線ＬＡＮを構築し得るようになされており、当該携帯電話機３が無線通信可能範囲内に存在する場合には、各種情報を無線で互いにやりとりするようになされている。
【００２６】
なお車載用ハードディスクプレーヤ４についても、ＲＯＭ３１に予め格納されたコンテンツ中途再生制御プログラムに従ってコンテンツ中途再生制御処理手順を実行するようになされており、その点については後述する。
【００２７】
（５）コンテンツ中途再生制御処理手順
次にコンテンツ再生制御システム１におけるコンテンツ中途再生制御処理手順を図５のシーケンスチャートに従って説明する。
【００２８】
ステップＳＰ１において家庭用ハードディスクプレーヤ２のＣＰＵ１０は、無線通信可能範囲内に携帯電話機３が存在するか否かを判定する。ここで否定結果が得られると、このことは携帯電話機３からステップＳＰ２１の認証要求が無かったことを表しており、このとき家庭用ハードディスクプレーヤ２のＣＰＵ１０は携帯電話機３からの認証要求があるまで待ち受ける。
【００２９】
これに対してステップＳＰ１で肯定結果が得られると、このことは携帯電話機３からステップＳＰ２１の認証要求があったので無線通信可能範囲内に携帯電話機３が存在していることを表しており、このとき家庭用ハードディスクプレーヤ２のＣＰＵ１０は次のステップＳＰ２へ移る。
【００３０】
ステップＳＰ２において家庭用ハードディスクプレーヤ２のＣＰＵ１０は、当該携帯電話機３が予め正規に登録された通信対象の携帯電話機であるか否かの認証処理を行って、次のステップＳＰ３へ移る。
【００３１】
ステップＳＰ３において家庭用ハードディスクプレーヤ２のＣＰＵ１０は、認証処理の結果を携帯電話機３に通知し、次のステップＳＰ４へ移る。
【００３２】
このときステップＳＰ２２において携帯電話機３のＣＰＵ２０は、家庭用ハードディスクプレーヤ２から認証処理の結果を受信し、当該家庭用ハードディスクプレーヤ２と無線通信可能であることを認識した後、次のステップＳＰ２３へ移る。
【００３３】
ステップＳＰ４において家庭用ハードディスクプレーヤ２のＣＰＵ１０は、ユーザからの命令に従って指定されたコンテンツの再生処理を行うと共に、その再生映像を表示部１３に表示し、次のステップＳＰ５へ移る。
【００３４】
ステップＳＰ５において家庭用ハードディスクプレーヤ２のＣＰＵ１０は、ユーザからの命令に応じてコンテンツの再生処理を中断し、次のステップＳＰ６へ移る。
【００３５】
ステップＳＰ６において家庭用ハードディスクプレーヤ２のＣＰＵ１０は、コンテンツの再生処理を中断したときの停止時点を示すコンテンツ再生中途情報を生成し、これを携帯電話機３へ無線送信した後、次のステップＳＰ７へ移る。
【００３６】
ここでコンテンツ再生中途情報には、コンテンツの再生処理を中断したときの停止時点を示す時間情報以外に当該コンテンツを特定するためのコンテンツタイトル、データフォーマット（例えば、ＭＰＥＧ２）、総再生時間等その他種々のコンテンツ属性情報等も含まれている。
【００３７】
このときステップＳＰ２３において携帯電話機３のＣＰＵ２０は、家庭用ハードディスクプレーヤ２から無線送信されたコンテンツ再生中途情報を受信し、次のステップＳＰ２４へ移る。
【００３８】
この後ユーザは家庭内から車内に移動して当該携帯電話機３を車内に持ち込むと、当該携帯電話機３と車載用ハードディスクプレーヤ４とが無線通信可能範囲内に存在することになる。
【００３９】
ステップＳＰ２４において携帯電話機３のＣＰＵ２０は、車載用ハードディスクプレーヤ４に対して家庭用ハードディスクプレーヤ２に行ったのと同様の認証要求を行い、次のステップＳＰ２５へ移る。
【００４０】
このときステップＳＰ４１において車載用ハードディスクプレーヤ４のＣＰＵ３０は、家庭用ハードディスクプレーヤ２におけるステップＳＰ１と同様に、無線通信可能範囲内に携帯電話機３が存在するか否かを判定する。
【００４１】
ここで否定結果が得られると、このことは携帯電話機３からステップＳＰ２４の認証要求が無かったことを表しており、このとき車載用ハードディスクプレーヤ４のＣＰＵ３０は携帯電話機３からの認証要求があるまで待ち受ける。
【００４２】
これに対してステップＳＰ４１で肯定結果が得られると、このことは携帯電話機３からステップＳＰ２４の認証要求があったので無線通信可能範囲内に携帯電話機３が存在していることを表しており、このとき車載用ハードディスクプレーヤ４のＣＰＵ３０は次のステップＳＰ４２へ移る。
【００４３】
ステップＳＰ４２において車載用ハードディスクプレーヤ４のＣＰＵ３０は、当該携帯電話機３が予め正規に登録された通信対象の携帯電話機であるか否かの認証処理を行って、次のステップＳＰ４３へ移る。
【００４４】
ステップＳＰ４３において車載用ハードディスクプレーヤ４のＣＰＵ３０は、認証処理の結果を携帯電話機３に通知し、次のステップＳＰ４４へ移る。
【００４５】
このときステップＳＰ２５において携帯電話機３のＣＰＵ２０は、車載用ハードディスクプレーヤ４から認証処理の結果を受信し、当該車載用ハードディスクプレーヤ４と無線通信可能であることを認識した後、次のステップＳＰ２６へ移る。
【００４６】
ステップＳＰ２６において携帯電話機３のＣＰＵ２０は、当該車載用ハードディスクプレーヤ４と無線通信可能であることを認識したので、家庭用ハードディスクプレーヤ２から受信したコンテンツ再生中途情報を車載用ハードディスクプレーヤ４へ自動的に無線送信し、次のステップＳＰ２７へ移る。
【００４７】
このときステップＳＰ４４において車載用ハードディスクプレーヤ４のＣＰＵ３０は、携帯電話機３から送信されたコンテンツ再生中途情報を受信し、これを一旦ＲＡＭ３２に記憶して保持した後、次のステップＳＰ４５へ移る。
【００４８】
ステップＳＰ４５において車載用ハードディスクプレーヤ４のＣＰＵ３０は、コンテンツ再生中途情報に含まれるコンテンツタイトルに基づいて当該コンテンツタイトルを有する同一のコンテンツがハードディスク３７に格納されているか否かを判定し、同一のコンテンツを所有していないときにはコンテンツ再生中途情報を用いる対象が存在しないのでステップＳＰ５０へ移って車載用ハードディスクプレーヤ４における処理を終了する。
【００４９】
これに対してステップＳＰ４５で肯定結果が得られると、このことは携帯電話機３から受信したコンテンツ再生中途情報に含まれるコンテンツタイトルと同一のコンテンツをハードディスク３７に所有していることを表しており、このとき車載用ハードディスクプレーヤ４のＣＰＵ３０は次のステップＳＰ４６へ移る。
【００５０】
ステップＳＰ４６において車載用ハードディスクプレーヤ４のＣＰＵ３０は、コンテンツ再生中途情報に含まれるコンテンツタイトルと同一のコンテンツに対する再生準備を行い、次のステップＳＰ４７へ移る。
【００５１】
ステップＳＰ４７において車載用ハードディスクプレーヤ４のＣＰＵ３０は、ユーザから再生命令が与えられると、コンテンツ再生中途情報に応じたコンテンツの再生中途処理を行い、次のステップＳＰ４７へ移る。
【００５２】
これにより車載用ハードディスクプレーヤ４のＣＰＵ３０は、携帯電話機３から受信したコンテンツ再生中途情報に応じて家庭用ハードディスクプレーヤ２で中断した停止時点を自動的に検出し、その停止時点から自動的に再生処理を再開することができる。
【００５３】
ステップＳＰ４８において車載用ハードディスクプレーヤ４のＣＰＵ３０は、ユーザからの命令に応じてコンテンツの再生処理を中断し、次のステップＳＰ４９へ移る。
【００５４】
ステップＳＰ４９において車載用ハードディスクプレーヤ４のＣＰＵ３０は、コンテンツの再生処理を中断したときの停止時点を示すコンテンツ再生中途情報を生成し、これを携帯電話機３へ無線送信した後、次のステップＳＰ５０へ移って車載用ハードディスクプレーヤ４における処理を終了する。
【００５５】
このときステップＳＰ２７において携帯電話機３のＣＰＵ２０は、車載用ハードディスクプレーヤ４から無線送信されたコンテンツ再生中途情報を受信し、次のステップＳＰ２８へ移る。
【００５６】
この後ユーザは車内から家庭内へ移動し、当該携帯電話機３を家庭内に持ち込むと、当該携帯電話機３と家庭用ハードディスクプレーヤ２とが無線通信可能範囲内に存在することになる。
【００５７】
ステップＳＰ２８において携帯電話機３のＣＰＵ２０は、家庭用ハードディスクプレーヤ２に対して認証要求を行い、次のステップＳＰ２９へ移る。
【００５８】
このときステップＳＰ７において家庭用ハードディスクプレーヤ２のＣＰＵ１０は、ステップＳＰ２と同様に携帯電話機３の認証処理を行った後、ステップＳＰ８でその認証処理の結果を携帯電話機３へ通知し、次のステップＳＰ９へ移る。
【００５９】
このとき携帯電話機３のＣＰＵ２０は、家庭用ハードディスクプレーヤ２から認証処理の結果を受信し、当該家庭用ハードディスクプレーヤ２と無線通信可能であることを認識した後、次のステップＳＰ３０へ移る。
【００６０】
ステップＳＰ３０において携帯電話機３のＣＰＵ２０は、家庭用ハードディスクプレーヤ２と無線通信可能であることを認識したので、車載用ハードディスクプレーヤ４から受信したコンテンツ再生中途情報を家庭用ハードディスクプレーヤ２へ自動的に無線送信し、次のステップＳＰ３１へ移って当該携帯電話機３における処理を終了する。
【００６１】
このときステップＳＰ９において家庭用ハードディスクプレーヤ２のＣＰＵ１０は、携帯電話機３から送信されたコンテンツ再生中途情報を受信し、これを一旦ＲＡＭ３２に記憶して保持した後、次のステップＳＰ１０へ移る。
【００６２】
ステップＳＰ１０において家庭用ハードディスクプレーヤ２のＣＰＵ１０は、ステップＳＰ４５における車載用ハードディスクプレーヤ４と同様にコンテンツ再生中途情報に含まれるコンテンツタイトルに基づいて当該コンテンツタイトルを有する同一のコンテンツがハードディスク１７に格納されているか否かを判定し、同一のコンテンツを所有していないときにはコンテンツ再生中途情報を用いる対象が存在しないのでステップＳＰ１２へ移って家庭用ハードディスクプレーヤ２における処理を終了する。
【００６３】
これに対してステップＳＰ１０で肯定結果が得られると、このことは携帯電話機３から受信したコンテンツ再生中途情報に含まれるコンテンツタイトルと同一のコンテンツをハードディスク１７に所有していることを表しており、このとき家庭用ハードディスクプレーヤ２のＣＰＵ１０は次のステップＳＰ１１へ移る。
【００６４】
ステップＳＰ１１において家庭用ハードディスクプレーヤ２のＣＰＵ１０は、コンテンツタイトルと同一のコンテンツに対する再生準備を行い、上述したステップＳＰ４へ戻る。
【００６５】
（６）動作及び効果
以上の構成において、コンテンツ再生制御システム１では、家庭用ハードディスクプレーヤ２と携帯電話機３とが無線通信可能範囲内にある場合で、当該家庭用ハードディスクプレーヤ２でコンテンツの再生処理を中断したときはその停止時点を示すコンテンツ再生中途情報を携帯電話機３へ無線送信し、当該携帯電話機３のＲＡＭ２２に一時的に保持する。
【００６６】
その後、ユーザが携帯電話機３を所有した状態で家庭内から車内に移動した場合、携帯電話機３の無線通信対象が家庭用ハードディスクプレーヤ２から車載用ハードディスクプレーヤ４へと切り換わり、当該車載用ハードディスクプレーヤ４と無線通信可能範囲内にあることを認識すると自動的にコンテンツ再生中途情報を車載用ハードディスクプレーヤ４へ無線送信する。
【００６７】
車載用ハードディスクプレーヤ４は、携帯電話機３からコンテンツ再生中途情報を受信し、ユーザから再生命令が与えられた場合、当該コンテンツ再生中途情報に応じて家庭用ハードディスクプレーヤ２でコンテンツの再生処理を中断した停止時点からコンテンツの再生処理を自動的に再開する。
【００６８】
これによりユーザは、家庭用ハードディスクプレーヤ２でコンテンツの再生処理を中断したときの映像シーンを覚えておいたり、もしくはカウンタ表示等を覚えておくようにして当該家庭用ハードディスクプレーヤ２で中断した停止箇所まで早送りしてサーチする等の煩雑で面倒な操作を行うことなく瞬時に再生途中から再生映像を引き続き視聴することができる。
【００６９】
また車載用ハードディスクプレーヤ４は、ユーザが車内から家庭内へ戻る場合にもコンテンツ再生中途情報を携帯電話機３へ無線送信し、当該携帯電話機３のＲＡＭ２２で一時的に保持する。
【００７０】
その後、ユーザが携帯電話機３を所有した状態で車内から家庭内に戻った場合、携帯電話機３の無線通信対象が車載用ハードディスクプレーヤ４から家庭用ハードディスクプレーヤ２へと切り換わり、当該家庭用ハードディスクプレーヤ２と無線通信可能範囲内にあることを認識すると自動的にコンテンツ再生中途情報を家庭用ハードディスクプレーヤ２へ無線送信する。
【００７１】
家庭用ハードディスクプレーヤ２は、携帯電話機３からコンテンツ再生中途情報を受信し、ユーザから再生命令が与えられた場合、当該コンテンツ再生中途情報に応じて車載用ハードディスクプレーヤ４でコンテンツの再生処理を中断した停止時点からコンテンツの再生処理を自動的に再開する。
【００７２】
これによりユーザは、車載用ハードディスクプレーヤ４でコンテンツの再生処理を中断したときの映像シーンを覚えておいたり、もしくはカウンタ表示等を覚えておくようにして当該車載用ハードディスクプレーヤ４で中断した箇所まで早送りしてサーチする等の煩雑で面倒な操作を行うことなく瞬時に再生途中から再生映像を引き続き視聴することができる。
【００７３】
このようにコンテンツ再生制御システム１は、家庭用ハードディスクプレーヤ２又は車載用ハードディスクプレーヤ４のいずれかでコンテンツの再生中に当該再生処理を中断した場合でも、その停止時点を示すコンテンツ再生中途情報を携帯電話機３に自動的に送信して記憶保持させ、当該携帯電話機３が車載用ハードディスクプレーヤ４又は家庭用ハードディスクプレーヤ２と無線通信可能範囲内に入ったときに当該携帯電話機３からコンテンツ再生中途情報を自動的に送信することができる。
【００７４】
これにより家庭用ハードディスクプレーヤ２又は車載用ハードディスクプレーヤ４は、携帯電話機３が無線通信可能範囲内に入ったときに当該携帯電話機３からコンテンツ再生中途情報を受信することができるので、当該コンテンツ再生中途情報に応じて一旦中断した停止位置から瞬時にコンテンツの再生処理を再開することができる。
【００７５】
従ってユーザは、家庭内から車内もしくは車内から家庭内へと携帯電話機３を持ち運ぶだけで、煩雑な操作することなく家庭用ハードディスクプレーヤ２又は車載用ハードディスクプレーヤ４のいずれに対してもコンテンツ再生中途情報に応じた停止位置から再生処理を再開させることができる。
【００７６】
またコンテンツ再生制御システム１では、家庭用ハードディスクプレーヤ２又は車載用ハードディスクプレーヤ４からユーザが離れるときであって、当該携帯電話機３との受信電界強度が所定レベル以下になったことを検出したとき、その検出したタイミングで当該コンテンツの再生処理を中断し、コンテンツ再生中途情報を携帯電話機３へ無線送信することができるので、携帯電話機３を各自所有するユーザ毎にコンテンツ再生中途情報を使い分けることができる。
【００７７】
以上の構成によれば、コンテンツ再生制御システム１は携帯電話機３を介して家庭用ハードディスクプレーヤ２又は車載用ハードディスクプレーヤ４のコンテンツ再生中途情報を車載用ハードディスクプレーヤ４又は家庭用ハードディスクプレーヤ２へ中継することができるので、ユーザにコンテンツの再生処理を中断したときの映像シーンを覚えておくことや、再生処理を中断した箇所まで早送りしてサーチする等の煩雑で面倒な操作を行わせることなく再生途中からコンテンツの再生処理を再開することができる。
【００７８】
（７）他の実施の形態
なお上述の実施の形態においては、本発明のコンテンツ再生制御システム１としてコンテンツを格納する記録媒体としてハードディスクを用いた家庭用ハードディスクプレーヤ２及び車載用ハードディスクプレーヤ４に適用するようにした場合について述べたが、本発明はこれに限らず、家庭用ＤＶＤプレーヤ及び車載用ＤＶＤプレーヤに適用したり、メモリスティック等の半導体メモリを記録媒体として用いた再生装置等その他種々のコンテンツ再生装置に適用するようにしても良い。
【００７９】
また上述の実施の形態においては、家庭内ハードディスクプレーヤ２、携帯電話機３及び車載用ハードディスクプレーヤ４との間でＩＥＥＥ８０１．１１ｇの規格に準拠した無線ＬＡＮ通信を行うようにした場合について述べたが、本発明はこれに限らず、相互に無線通信することができれば、例えばＩＥＥＥ８０１．１１ａ、ＩＥＥＥ８０１．１１ｂ、ブルートゥース等のその他の種々の無線インタフェースを用いて無線通信するようにしても良い。
【００８０】
さらに上述の実施の形態においては、コンテンツを格納する記録媒体としてハードディスクを用いた家庭用ハードディスクプレーヤ２及び車載用ハードディスクプレーヤ４に適用するようにした場合について述べたが、本発明はこれに限らず、家庭用ハードディスクプレーヤ２及び車載用ＤＶＤプレーヤとの間でコンテンツ再生中途情報の互換性があれば、同一種類ではない再生装置同士の組み合わせに適用するようにしても良い。
【００８１】
そのような場合、家庭用ハードディスクプレーヤ２にはコンテンツ管理プログラムを予めインストールしておき、車載用ＤＶＤプレーヤからコンテンツ再生中途情報としてコンテンツタイトル、データフォーマット（例えばＭＰＥＧ２）、総再生時間、チャプター数、ユーザ毎にコンテンツ管理を行うためのユーザ名、ユーザが途中まで視聴していたチャプタ番号、ユーザが途中まで視聴していたチャプタの先頭からの経過時間等を携帯電話器を介して受信し、コンテンツ管理プログラム及びＯＳ（Ｏｐｅｒａｔｉｎｇ  Ｓｙｓｔｅｍ）を通して解析し、ハードディスク及びＤＶＤの記録媒体の違いによるコンテンツ再生中途情報の相違を吸収するようにすれば良い。
【００８２】
さらに上述の実施の形態においては、家庭用ハードディスクプレーヤ２のコンテンツ再生中途情報を携帯電話機３を介して車載用ハードディスクプレーヤ４に中継したり、車載用ハードディスクプレーヤ４のコンテンツ再生中途情報を携帯電話機３を介して家庭用ハードディスクプレーヤ２に中継するようにした場合について述べたが、本発明はこれに限らず、家庭用ハードディスクプレーヤ２のコンテンツ再生中途情報を携帯電話機３を介して家庭用ハードディスクプレーヤ２に再度中継したり、車載用ハードディスクプレーヤ４のコンテンツ再生中途情報を携帯電話機３を介して車載用ハードディスクプレーヤ４に再度中継するようにしても良い。
【００８３】
さらに上述の実施の形態においては、ステップＳＰ５及びステップＳＰ４８でユーザからの命令に応じてコンテンツの再生処理を中断するようにした場合について述べたが、本発明はこれに限らず、ユーザが携帯電話機３を所有した状態で外出しようとして当該家庭用ハードディスクプレーヤ２の無線通信可能範囲内から外れてしまう前に、当該携帯電話機３との受信電界強度が所定レベル以下になったことを検出したとき、その検出したタイミングで当該コンテンツの再生処理を中断したり、その逆に、ユーザが携帯電話機３を所有した状態で車から降りようとして当該車載用ハードディスクプレーヤ４の無線通信可能範囲内から外れてしまう前に、当該携帯電話機３との受信電界強度が所定レベル以下になったことを検出したとき、その検出したタイミングで当該コンテンツの再生処理を中断するようにしても良い。
【００８４】
この場合、コンテンツ再生制御システム１では、ユーザが停止命令を入力することなく、家庭用ハードディスクプレーヤ２又は車載用ハードディスクプレーヤ４から離れて再生中のコンテンツを視聴することが出来なくなった時点で確実にコンテンツ再生中途情報を生成して携帯電話機３へ無線送信することができ、さらにユーザに煩雑な操作をさせる必要がなくなる。
【００８５】
さらに上述の実施の形態においては、再生手段としてのＣＰＵ１０及びＲＡＭ１２、ＣＰＵ３０及びＲＡＭ３２、中途情報生成手段としてのＣＰＵ１０及びＲＡＭ１２、ＣＰＵ３０及びＲＡＭ３２、通信手段としての無線インタフェース１５及び３５、制御手段としてのＣＰＵ１０及びＲＡＭ１２、ＣＰＵ３０及びＲＡＭ３２によってコンテンツ再生装置としての家庭用ハードディスクプレーヤ２及び車載用ハードディスクプレーヤ４を構成するようにした場合について述べたが、本発明はこれに限らず、その他種々の回路構成でなる再生手段、中途情報生成手段、通信手段及び制御手段によってコンテンツ再生装置を構成するようにしても良い。
【００８６】
【発明の効果】
上述のように本発明によれば、再生手段によるコンテンツの再生処理を中断したときの停止時点を示すコンテンツ再生中途情報を生成し、当該コンテンツ再生中途情報をユーザ所有の携帯型情報端末へ無線送信し、携帯型情報端末からコンテンツ再生中途情報を受信したとき、当該コンテンツ再生中途情報に従って停止時点からコンテンツの再生処理を再開することにより、ユーザに対して停止時点の内容を記憶させたり、当該停止時点まで早送りさせる等の煩雑な操作をさせることなく、携帯型情報端末を介して直ちに停止時点からコンテンツの再生処理を再開することができる。
【００８７】
また本発明によれば、通信手段と携帯型情報端末との間で構築される無線ＬＡＮの無線通信可能範囲内に携帯型情報端末が存在している場合であって、電波の電界受信強度が所定レベル以下に下がった段階でコンテンツ再生中途情報を生成するようにしたことにより、ユーザが携帯型情報端末を保持した状態でコンテンツ再生装置から離れるときに、コンテンツ再生中途情報を生成して当該携帯型情報端末へ自動的に送信することができるので、ユーザに対して何ら煩雑な操作をさせることなくコンテンツ再生中途情報を携帯型情報端末に記憶させることができる。
【図面の簡単な説明】
【図１】コンテンツ再生制御システムの概要を示す略線図である。
【図２】家庭用ハードディスクプレーヤの回路構成を示す略線的ブロック図である。
【図３】携帯電話機の回路構成を示す略線的ブロック図である。
【図４】車載用ハードディスクプレーヤの回路構成を示す略線的ブロック図である。
【図５】コンテンツ中途再生制御処理手順（１）を示すフローチャートである。
【図６】コンテンツ中途再生制御処理手順（２）を示すフローチャートである。
【符号の説明】
１……コンテンツ再生制御システム、２……家庭用ハードディスクプレーヤ、３……携帯電話機、４……車載用ハードディスクプレーヤ、１０、２０、３０……ＣＰＵ、１１、２１、３１……ＲＯＭ、１２、２２、３２……ＲＡＭ、１３、２３、３３……表示部、１４、２４、３４……外部Ｉ／Ｏ、１５、２５、３５……無線Ｉ／Ｆ、１７、３７……ハードディスク。
【図１】
2005026923.tif 000003
【図２】
2005026923.tif 000004
【図３】
2005026923.tif 000005
【図４】
2005026923.tif 000006
【図５】
2005026923.tif 000007
【図６】
2005026923.tif 000008